(57)【要約】【課題】折曲装置と結束装置とが合わせて占める設置面積を小さくすることによって、海苔製造ラインの乾海苔生産量を上げる。【解決手段】乾海苔束Ａを折曲機２で折曲げ、折曲げられた複数の折曲乾海苔束ＡＡを同時に受け台２２上に押し出すとともに、押し出された折曲乾海苔束ＡＡにより受け台２２上に待機している先行の折曲乾海苔束ＡＡを押して受け台２２からエレベータ４の昇降する搬送台２０上に移し換え、搬送台２０上の移し換えられた折曲乾海苔束ＡＡを折曲機２の上方に配置されている結束機３の搬入レベルまで垂直方向に上昇させ、上昇した搬送台２０から結束機３の折曲乾海苔受け２５へ押出すとともに、乾海苔受け２５上に待機している先行の折曲乾海苔束ＡＡを押して折曲乾海苔受け２５から結束機３の結束部へ送り、結束する。【選択図】図２
2005341843.tif 000002
【特許請求の範囲】
【請求項１】
搬送されてきた乾海苔束を折曲機で折曲げ、折曲げられた複数の折曲乾海苔束を同時に受け台上に押し出すとともに、押し出された複数の折曲乾海苔束により受け台上に待機している先行の複数の折曲乾海苔束を押して受け台からエレベータの昇降する搬送台上に移し換え、搬送台上の移し換えられた複数の折曲乾海苔束を折曲機の上方に配置されている結束機の搬入レベルまで垂直方向に上昇させ、上昇した搬送台から結束機の折曲乾海苔受けへ押出すとともに、乾海苔受け上に待機している先行の折曲乾海苔束を押して折曲乾海苔受けから結束機の結束部へ送り、結束部へ送られた複数の折曲乾海苔束をテープにより結束することを特徴とする乾海苔束の折曲結束方法。
【請求項２】
搬送されてきた乾海苔束を折曲げる折曲機と、
折曲機で折り曲げられて搬出された複数の折曲乾海苔束を折曲機から結束機へと上昇させて搬送するエレベータと、
折曲機の上部に配置されている、前記複数の折曲乾海苔束をテープで結束する結束機とが一体化されてなり、
折曲機が折曲機で折り曲げられた複数の折曲乾海苔束により待機している先行の複数の折曲乾海苔束を押してエレベータの搬送台へ移し換える押し板を備え、
結束機が結束機の折曲乾海苔束受けに待機している先行の複数の折曲乾海苔束をエレベータで垂直方向に上昇して搬送されてきた後続の折曲乾海苔束で押して結束機の結束部へ送る押出板を備えていることを特徴とする乾海苔束の折曲結束装置。
【請求項３】
押し板はエレベータの搬送台が原点位置にあれば折曲乾海苔束を折曲機から押出す押し板であり、押出板は結束機での結束作業完了であればエレベータの搬送台から結束機へ折曲乾海苔束を押出す押出板であることを特徴とする請求項２記載の折曲結束装置。
【発明の詳細な説明】
【技術分野】
【０００１】
本発明は、折曲機で乾海苔束を折り曲げた後、折り曲げた複数の折曲乾海苔束を折曲機の上に配置された結束機にエレベータで搬送して結束する乾海苔束の折曲結束方法及び折曲結束装置に関する。
【背景技術】
【０００２】
海苔製造ラインでは、図９の従来の海苔製造ラインに示すように、海苔乾燥装置で乾燥した乾海苔は１枚づつ搬出され、搬出された乾海苔は反転装置で反転後、乾海苔の良否を検査する検査装置、複数枚（通常１０枚）の乾海苔を集束して乾海苔束にする乾海苔集束装置、乾海苔束を折り曲げる折曲装置（特許文献１、２参照）、折り曲げた複数の折曲乾海苔束を結束する結束装置（特許文献３参照）へ搬送される。折曲装置、結束装置などは独立した装置であって、これらの装置が順次接続されている。
【０００３】
図９（ａ）に示すように、折曲装置が検査装置と一列に配置されている場合、折曲装置で折り曲げられた折曲乾海苔束の取り出し方向は列方向と直角であるため、結束装置は折曲装置と直角に配置される。また、図９（ｂ）に示すように、折曲装置が検査装置と直角方向に配置されている場合、結束装置は折曲装置と一列に配置される。いずれの配置であっても、建家の幅方向に検査装置の列と折曲装置や結束装置が並列に配置される。
【特許文献１】実公昭５９−３７０２６号公報
【特許文献２】実公昭６３−４５９１６号
【特許文献３】実公平４−２４８０２号公報
【発明の開示】
【発明が解決しようとする課題】
【０００４】
乾海苔の生産量を上げるために海苔乾燥装置が大型化しているが、海苔生産業者の生産工場の建屋は狭く、このような狭い建家内では、生産量を上げるために幅の大きい大型の海苔乾燥装置を導入しようとしても、海苔乾燥装置が建家面積を大きく占有するため、建家の幅方向に折曲装置や結束装置が並列に収まらず、海苔乾燥装置や次工程の装置の配置が不可能な場合がある。また、折曲工程の前工程が大きくなって、建家の長さ方向に検査装置と折曲装置を一列に配置できなくなる場合がある。
【０００５】
以上のことから、折曲装置や結束装置の小型化の要求が強いが、折曲装置や結束装置は構造が複雑であり個々の小型化には限度があるため、現状では折曲装置及び結束装置の占める設置面積を狭くすることができない。その結果、狭い建家内では、大型の海苔乾燥装置を導入しようとすると次工程の折曲装置や結束装置の配置ができずに生産量の向上に支障をきたしている。
【０００６】
そこで、本発明は、折曲装置と結束装置とが合わせて占める設置面積を小さくすることによって、海苔製造ラインの乾海苔生産量を上げることができる乾海苔束の折曲結束方法及び折曲結束装置を提供するものである。
【課題を解決するための手段】
【０００７】
本発明の乾海苔の折曲結束方法は、搬送されてきた乾海苔束を折曲機で折曲げ、折曲げられた複数の折曲乾海苔束を同時に受け台上に押し出すとともに、押し出された複数の折曲乾海苔束により受け台上に待機している先行の複数の折曲乾海苔束を押して受け台からエレベータの昇降する搬送台上に移し換え、搬送台上の移し換えられた複数の折曲乾海苔束を折曲機の上方に配置されている結束機の搬入レベルまで垂直方向に上昇させ、上昇した搬送台から結束機の折曲乾海苔受けへ押出すとともに、乾海苔受け上に待機している先行の折曲乾海苔束を押して折曲乾海苔受けから結束機の結束部へ送り、結束部へ送られた複数の折曲乾海苔束をテープにより結束することを特徴とする。
【０００８】
また、本発明の乾海苔の折曲結束装置は、搬送されてきた乾海苔束を折曲げる折曲機と、折曲機で折り曲げられて搬出された複数の折曲乾海苔束を折曲機から結束機へと上昇さて搬送するエレベータと、折曲機の上部に配置されている、前記複数の折曲乾海苔束をテープで結束する結束機とが一体化されてなり、折曲機が折曲機で折り曲げられた複数の折曲乾海苔束により待機している先行の複数の折曲乾海苔束を押してエレベータの搬送台へ移し換える押し板を備え、結束機が結束機の折曲乾海苔束受けに待機している先行の複数の折曲乾海苔束をエレベータで垂直方向に上昇して搬送されてきた後続の折曲乾海苔束で押して結束機の結束部へ送る押出板を備えていることことを特徴とする。前記構成において、押し板はエレベータの搬送台が原点位置にあれば折曲乾海苔束を折曲機から押出す押し板であり、押出板は結束機での結束作業完了であればエレベータの搬送台から結束機へ折曲乾海苔束を押出す押出板とすることができる。
【発明の効果】
【０００９】
本発明の乾海苔束の折曲結束は、折曲機、折曲機の上方に配置された結束機及び折曲機から結束機へ折曲乾海苔束を搬送するエレベータを一体化し、折曲機からの折曲乾海苔束のエレベータへの送り出し、およびエレベータによる垂直方向に搬送された折曲乾海苔束の結束機への搬入をそれぞれ折曲乾海苔束で押して行うので、折曲機、結束機及びエレベータをコンパクトにまとめることができる。その結果、折曲結束装置の設置面積を狭くすることができ、海苔製造ラインに大型の装置の導入が可能となって乾海苔生産量を上げることができる。
【発明を実施するための最良の形態】
【００１０】
図１は本発明の折曲結束装置を組み込んだ海苔製造ラインの配置図である。
【００１１】
海苔乾燥装置で乾燥した乾海苔は反転装置で反転させて検査装置で検査され、海苔集束装置で集束した乾海苔束が本発明の折曲結束装置１へ搬送される。
【００１２】
本発明の折曲結束装置１は検査工程などの前工程と一列に配置することができ、図９の従来の配置と比較すると明らかなとおり大型の海苔乾燥装置の導入使用とすると、従来の折曲装置と結束装置では配置不可能であった建家の幅でも、本発明の折曲結束装置１では幅方向に占める面積が小さいので、大型の海苔乾燥装置の導入が可能となる。その結果、海苔製造工程の大型化による生産量の増加に対応することができる。
【実施例】
【００１３】
図２は本発明の折曲結束装置の概略図、図３（ａ）は本発明の折曲結束装置の側面図、（ｂ）は同正面図、（ｃ）は同平面図、図４は折曲機の一例を示す概略図、図５は結束機の結束部の一例を示す概略図、図６（ａ）は折曲結束装置のエレベータの平面図、（ｂ）は同正面図、（ｃ）は同側面図である。
【００１４】
図２において、本発明の折曲結束装置１は、乾海苔束Ａを折り曲げる折曲機２と、この折曲機２の上部に配置された結束機３と、折曲機２から押し出された複数の折り曲げられた折曲乾海苔束ＡＡを上昇させて結束機３へ搬送するエレベータ４が一体に構成されている。
【００１５】
折曲機２には公知の折曲機を使用し、例えば、ニシハツ産業株式會社製の折曲機ＢＬＭ−２０００や特許文献１、２で公知のものを使用することができる。
【００１６】
図４において、折曲機２の乾海苔束Ａの搬入口の奥には、搬送コンベア５で搬送されてきた乾海苔束Ａを停止させるストッパ６が設けられている。また、乾海苔束Ａの当接により作動するリミットスイッチ７が設けられ、搬送コンベヤ５を停止させ、持上板１０の上昇を開始する。
【００１７】
折曲機２には無端コンベヤ８が配置され、この無端コンベヤ８に間隔をおいて複数の羽根板９が設けられている。無端コンベヤ８の回転により無端コンベヤ８の下方では複数枚の羽根板９が下向きに整列し、隣り合う下向きの羽根板９は折曲げられた折曲乾海苔束を結束機で結束する数（通常１０束）を保持する。
【００１８】
無端コンベヤ８の回転により下向きの羽根板９の下方には、隣り合う下向きの羽根板９の間に昇降して出入りする持上板１０が設けられている。持上板１０は、ストッパ６で停止している乾海苔束の中央を持ち上げて下向きの羽根板９の間に押し込んで二つ折りにする。持上板１０と、その上方に位置する下向きの羽根板９の間には、間隔をおいて乾海苔束が案内される案内ローラ９Ａが配置されている。
【００１９】
整列した下向きの羽根板９の一方の側には、各下向きの羽根板９の間に挟持された１０束の折曲乾海苔束を他方の側へ横方向に同時に押し出すため、各下向きの羽根板９の間を横方向に同時に出入り可能な１０個の押し板１１が配置されている。
【００２０】
結束機３には公知の結束機を使用し、例えば、ニシハツ産業株式會社製の結束機ＩＩＩ型や特許文献３で公知のものを使用することができる。図５において、結束機３の結束部へと進入してきた折曲乾海苔束ＡＡを折曲乾海苔束受け板１２に当接し（図５（ａ））、折曲乾海苔束ＡＡとコ字状テープ押さえ１３にテープ１４を掛け回し（図５（ｂ））、上しごき板１５、下しごき折曲座１６及び三角板１７でテープ端衝合片１４ａの折り位置を決め（図５（ｃ））、テープ端衝合片１４ａをエアで浮かせて横しごき板１８で折り返し直立後、横折り込みプレート１９でテープ端衝合片１４ａをコ字状テープ押さえ１３とテープ１４の間に挿入して結束し（図５（ｅ）、コ字状テープ押さえ１３をテープ１４の結束部から引き抜いた後、結束した折曲乾海苔束を移動させて搬出する。
【００２１】
図６において、エレベータ４は搬送台２０を備え、搬送台２０の両側が昇降するチェーン２１に係止され、搬送台２０はチェーン２１の正逆転により昇降する。エレベータ４は、図２に示すように、折曲機２の受け台２２から進入する折曲乾海苔束ＡＡを感知する進入センサ２３と、搬送台２０が原点位置のレベルに下降すると作動してエレベータ４を停止させるリミットスイッチ２４と、搬送台２０が結束機３の折曲乾海苔束受け２５のレベルまで来ると作動してエレベータ４を停止させるリミットスイッチ２６を備えている。
【００２２】
エレベータ４が停止すると押出板２７が設定ストロークで作動して搬送台２０から折曲乾海苔束ＡＡを乾海苔受け２５へ押し出す。
【００２３】
次ぎに本発明の折曲結束装置を利用した乾海苔束の折曲結束方法について説明する。図７は本発明の折曲工程を示すフローチャート、図８はエレベータの動作のフローチャートである。
【００２４】
（１）集束装置で重ねられて整列された横長の乾海苔１０枚の乾海苔束Ａは搬送コンベヤ５で折曲結束装置１に搬入されて折曲機２のストッパ６に当接して停止し、リミットスイッチ７が作動して搬送コンベヤ５が停止し、持上板１０が駆動される（Ｓ１）。
【００２５】
（２）乾海苔束Ａは持上板１０の上昇によって羽根板９の間に挿入されて二つ折りされる（Ｓ２）。
【００２６】
（３）同様にして乾海苔束Ａを結束個数（１０束）だけ順次折り曲げていく（Ｓ３）。
【００２７】
（４）羽根板９の間に挟持された二つ折りの折曲乾海苔束ＡＡが１０束並ぶと、１０個の押し板１１によって１０束の折曲乾海苔束ＡＡは同時に押出され、押出された折曲乾海苔束ＡＡは押し板１１の押出しストローク分動き、エレベータ７の搬送台２０の手前にある受け台２２の上で停止する。
【００２８】
（５）エレベータ４の搬送台２０が最下降レベルの原点位置にあることを確認する（Ｓ４）。
【００２９】
（６）エレベータ４の搬送台２０が原点位置にあることが確認されると、折曲機２の受け台２２へ押し出されている先行の折曲乾海苔束ＡＡは、次に押し出される後続の折曲乾海苔束ＡＡによって押されてエレベータ４の搬送台２０に進入する（Ｓ５）。
【００３０】
エレベータ４の搬送台２０が原点位置にない場合は、押し板１１による押出し又は折曲工程を一時停止させて後続の折曲乾海苔束ＡＡが先行の折曲乾海苔束ＡＡを押し出さないようにしてエレベータへの進入を止める（Ｓ６）。
【００３１】
（７）エレベータ４の搬送台２０が原点位置にあって、進入する折曲乾海苔束ＡＡを進入センサが感知すると（Ｓ７）、折曲乾海苔束ＡＡを完全に搬送台に移動させるためタイマが作動して設定時間後に折曲乾海苔束ＡＡを載せてエレベータは垂直に上昇する（Ｓ８、Ｓ９）。従来の乾海苔束の処理工程では、折曲装置から押し出された折曲乾海苔束ＡＡは水平方向に配置された別体の結束装置へと送り込まれるが、本発明では折曲機の上部へ配置された結束機へエレベータにより垂直方向へと搬送する。
【００３２】
（８）エレベータ４が上昇して搬送台２０が結束機３の折曲乾海苔束受け２５のレベルまで来るとリミットスイッチ２６が作動してエレベータ４が停止する（Ｓ１０、Ｓ１１）。
【００３３】
（９）エレベータ４が停止すると、結束機３の結束作業が完了して折曲乾海苔束の受け入れが可能か否か確認する（Ｓ１２）。
【００３４】
結束作業の完了が確認されると、押出板２７が設定ストロークで作動して搬送台２０から折曲乾海苔束ＡＡを折曲乾海苔束受け２５へ押出す（Ｓ１３）。押出し後に押出板２７は元の位置に戻り（Ｓ１４）、折曲乾海苔束ＡＡを搬送台２０から折曲乾海苔束受け２５へ完全に移動させるためタイマにより設定時間経過後にエレベータ４の搬送台２０は下降する（Ｓ１５、Ｓ１６）。
【００３５】
（１０）エレベータ４が下降し、搬送台２０が折曲機１の受け台２２のレベルまで来るとリミットスイッチ２４が作動してエレベータを停止させる（Ｓ１７、Ｓ１８）。
【００３６】
（１１）Ｓ１〜Ｓ１２のステップにより後続の折曲乾海苔束ＡＡが上昇し、搬送台２０から折曲乾海苔束ＡＡを折曲乾海苔束受け２５へ押出板２７で押出され、折曲乾海苔束受け２５上に待機している先行の折曲乾海苔束ＡＡが押され（Ｓ１３）、結束機３の結束部へ進入して結束される。
【００３７】
以上のステップを繰り返すことにより、折曲結束装置１に搬入された乾海苔束Ａが折曲げられ結束されていく。
【図面の簡単な説明】
【００３８】
【図１】本発明の折曲結束装置を組み込んだ海苔製造ラインの配置図。
【図２】本発明の折曲結束装置の概略図。
【図３】（ａ）は本発明の折曲結束装置の側面図、（ｂ）は同正面図、（ｃ）は同平面図。
【図４】折曲結束装置の折曲機の一例を示す概略図。
【図５】折曲結束装置の結束機の結束部の一例を示す概略図。
【図６】（ａ）は折曲結束装置のエレベータの平面図、（ｂ）は同正面図、（ｃ）は同側面図。
【図７】本発明の折曲工程を示すフローチャート。
【図８】エレベータの動作のフローチャート。
【図９】従来の海苔製造ラインの配置図。
【符号の説明】
【００３９】
１：折曲結束装置
２：折曲機
３：結束機
４：エレベータ
５：搬送コンベヤ
６：ストッパ
７：リミットスイッチ
８：無端コンベヤ
９：羽根板
１０：持上板
１１：押し板
１２：折曲乾海苔束受け板
１３：コ字状テープ押さえ
１４：テープ
１４ａ：テープ端衝合片
１５：上しごき
１６：下しごき折曲座
１７：三角板
１８：横しごき板
１９：横折り込みプレート
２０：搬送台
２１：チェーン
２２：受け台
２３：進入センサ
２４：リミットスイッチ
２５：折曲乾海苔束受け
２６：リミットスイッチ
２７：押出板
【図１】
2005341843.tif 000003
【図２】
2005341843.tif 000004
【図３】
2005341843.tif 000005
【図４】
2005341843.tif 000006
【図５】
2005341843.tif 000007
【図６】
2005341843.tif 000008
【図７】
2005341843.tif 000009
【図８】
2005341843.tif 000010
【図９】
2005341843.tif 000011